(57)【要約】      （修正有）【課題】カード体が一方の収納部から他方の収納部に向かってずれたり移動したりしないカードケースを提供する。【解決手段】２つの収納部４の底板１の上には名刺Ｎが積層され、名刺Ｎの周りは側板３及び仕切り側板２によって規制される。仕切り側板２の高さは側板３より高く仕切り係合凸部５となって、蓋部１１の仕切り係合凹部１５に係合する。蓋部１１は回動部１２で回転して、２つの収納部４は蓋部１１の側部係合部１４内に入り込み、さらに収納部４の蓋係合凸部７が蓋部１１の蓋係合凹部１７に係合して、蓋部１１は収納部４に固定される。２つのカードケースは、互いに表裏反対向き（上下反対向き）及び１８０度反対向きにされて、同じ形状の連結部２０どうしで互いに連結される。【選択図】図１
0003181885.tif 000002
【実用新案登録請求の範囲】
【請求項１】
同形同大のほぼ方形板状のカード体を多数枚積層させ、いずれの積層面もそろって収納される複数の収納部と、
上記収納部において、上記積層されたカード体の下面が当接する底部と、
上記収納部において、上記方形板状の四辺の位置に設けられ、上記積層面に当接または対向する側部と、
上記複数の収納部にまたがり、複数の収納部の上から着脱自在に当接し、上記積層されたカード体が上記複数の収納部から脱落するのを防止する蓋部と、
上記側部のうち、隣の収納部に近い側部の上部と係合し、この隣り合う収納部のうち、一方の収納部から他方の収納部への上記カード体の移動を禁止する、上記蓋部に設けられた係合部とを備えたことを特徴とするカードケース。
【請求項２】
隣り合う収納部の側部は一体で兼用されて仕切り側部となっていることを特徴とする請求項１記載のカードケース。
【請求項３】
上記仕切り側部は、他の側部より上方へ突出している部分である仕切り係合凸部を有し、この仕切り係合凸部は、上記蓋部に設けられた仕切り係合凹部と係合することを特徴とする請求項２記載のカードケース。
【請求項４】
上記蓋部には、上記仕切り側部以外の側部と、着脱自在に係合する側部係合部が設けられていることを特徴とする請求項３記載のカードケース。
【請求項５】
上記複数の収納部と上記蓋部とは互いに回動する回動部が設けられ、収納部と上記蓋部とは着脱自在になっていることを特徴とする請求項４記載のカードケース。
【請求項６】
上記収納部を挟んで上記回動部と反対側には、収納部と上記蓋部とを係合する蓋係合部が収納部及び上記蓋部に設けられていることを特徴とする請求項５記載のカードケース。
【請求項７】
上記蓋係合部及び回動部のいずれか一方は、上記収納部の底部の面に沿って、上記収納部の底面側または上面側にほぼ位置していることを特徴とする請求項６記載のカードケース。
【請求項８】
複数のカードケースにおける蓋係合部は、同じ形状であり、同じ側において、向きを変えて、さらに互いに係合可能となっていることを特徴とする請求項７記載のカードケース。
【請求項９】
上記カードケース全体の厚さは、９．８ｍｍであることを特徴とする請求項８記載のカードケース。
【請求項１０】
上記カードケースを上記係合部または回動部付近で重ねたときの幅は、２２ｃｍ乃至２３．５ｃｍであることを特徴とする請求項９記載のカードケース。
【考案の詳細な説明】
【技術分野】
【０００１】
本考案は、カードケースに関し、特に名刺などのカードを収納し、容易に郵送・宅配できるカードケースに関する。
【背景技術】
【０００２】
近年、名刺などのカードを入れるケース・容器・箱などが種々考えられてきている。しかし、カードが入る収納箇所が複数あると、郵送・宅配の途中でゆられて、この複数の収納箇所内のカードが隣の収納箇所に移動してしまい、１つの収納箇所内のカードの数が変動してしまうことがあった。
【０００３】
【特許文献１】登録実用新案３０１５２１０号公報
【特許文献２】登録実用新案３００７９４９号公報
【特許文献３】登録実用新案３０５３２８９号公報
【特許文献４】登録実用新案３１３００４３号公報
【特許文献５】登録実用新案３１３８７０７号公報
【特許文献６】特開２００７−３３１３６１号公報
【考案の開示】
【考案が解決しようとする課題】
【０００４】
本考案は、上述した課題を解決するためになされたものであり、本考案のカードケースの目的は、カード体が一方の収納箇所から他方の収納箇所に向かってずれたり移動したりしてしまうことがないようにすること等にある。
【課題を解決するための手段】
【０００５】
上記目的を達成するために、本考案のカードケースは、  同形同大のほぼ方形板状のカード体を多数枚積層させ、いずれの積層面がそろって収納される複数の収納部と、
上記収納部において、上記積層されたカード体の下面が当接する底部と、  上記収納部において、上記方形板状の四辺の位置に設けられ、上記積層面に当接または対向する側部と、  上記複数の収納部にまたがり、複数の収納部の上から着脱自在に当接し、上記積層されたカード体が上記複数の収納部から脱落するのを防止する蓋部と、
上記側部のうち、隣の収納部に近い側部の上部と係合し、この隣り合う収納部のうち、一方の収納部から他方の収納部への上記カード体の移動を禁止する、上記蓋部の下面に設けられた係合部とを備えた。
【考案の効果】
【０００６】
これにより、隣の収納部に近い側部の上部と係合し、この隣り合う収納部のうち、一方の収納部から他方の収納部への上記カード体の移動を禁止する係合部が、上記蓋部の下面に設けられたから、カード体が一方の収納箇所から他方の収納箇所に向かってずれたり移動したりしてしまうことがなくなった。
【考案を実施するための最良の形態】
【０００７】
（１）カードケース外観
図１は、開いた状態のカードケースの全体外観を示す。図２は、開いた状態のカードケースの側面を示す。図１及び図２では、蓋部１１は開いて裏がされた状態となっている。蓋部１１の上と下は、図３及び図４の蓋部１１を閉じた状態を基準とし、図１及び図２では、蓋部１１の下と上とが説明では入れ替わる。
【０００８】
このカードケースに収納されるカード体は、本実施形態では名刺Ｎである。このカードケースはポリプロピレン、ポリエチレンなどの樹脂からなり、この樹脂の厚さは薄く、透明または半透明となっていて、収納される名刺Ｎが確認しやすくなっている。
【０００９】
２つの平坦な方形状の底板１（底部）の上には、上記積層された名刺Ｎ（カード体）の下面Ｂが当接する。この２つの隣り合う底板１の間であって、方形板状の底板１の四辺の１つの位置には、仕切り側板２が形成されている。
【００１０】
この仕切り側板２は、一方の底板１から直角に上方へ折れ曲げられ、さらに反転して下方へ折れ曲げられて、他方の底板１に繋がっている。この仕切り側板２の両側面には、上記積層された名刺Ｎの積層面Ｓに当接する。
【００１１】
上記仕切り側板２以外の底板１の三辺部分にも、側板３…が形成されている。この側板３…は、一方の底板１から直角に上方へ折れ曲げられ、さらに反転して下方へ折れ曲げられている。これら３辺の側板３…と上記仕切り側板２とは、連続してつながり、底板１の周囲を取り囲むように配置される。この側板３…の底板１側の側面にも、上記積層された名刺Ｎの積層面Ｓに当接または対向する。
【００１２】
これら底板１、仕切り側板２、側板３…によって、２つの隣り合う収納部４が構成される。仕切り側板２は、側板３のうち、隣の収納部４にもっとも近い側板３となる。この収納部４内に積層された名刺Ｎは、ほぼ同形同大のほぼ方形状で、方形状の四辺の積層面Ｓはそろっている。また、上記仕切り側板２は、隣り合う２つの収納部４の側板３…が一体になって兼用されている。
【００１３】
上記仕切り側板２の高さは、他の側板３…の高さより高く、他の側板３…より上方へ突出して、仕切り係合凸部５（係合部）となっている。仕切り側板２の太さは、他の側板３…の太さより薄くなっている。したがって、収納部４及びカードケース全体の寸法を小さくして、コンパクトにできスペースを取らない。
【００１４】
また、長辺側の側板３…の太さは、短辺側の側板３…の太さより薄くなっている。したがって、収納部４及びカードケース全体の寸法を小さくして、コンパクトにできスペースを取らない。
【００１５】
上記方形状の底板１の短辺側の側板３…の下縁は直角に折れ曲がって、外方に延出され平坦な長方形状の蓋係合板６が形成されている。この蓋係合板６の両端には、上方へ円柱状に突出する蓋係合凸部７が形成されている。
【００１６】
上記方形状の底板１の他の短辺側の側板３…の下縁は直角に折れ曲がって、外方に延出され平坦な長方形状の回動板８が形成されている。この回動板８のほか、上記蓋係合板６、２枚の底板１は同一平面上にあり、これらは底板１の面に沿っている。なお、回動板８、蓋係合板６、２枚の底板１は同一平面上になくてもよいし。
【００１７】
上記側板３…は同じ高さであり、側板３…の上縁は同一平面上にある。しかし、それぞれの側板３の高さは異なっていてもよい。上記方形状の底板１の長辺側の側板３…の下縁は外方へ延出されていない。したがって、収納部４及びカードケース全体の寸法を小さくして、コンパクトにできスペースを取らない。
【００１８】
上記収納部４の回動板８の端縁には、蓋部１１の回動板１３が回動可能に連結され、収納部４と蓋部１１とが互いに回動可能になっている。この回動板８と蓋部１１との境界はミシン目状態で一定間隔ごとに切断されて、回動部１２が形成されている。
【００１９】
収納部４側の回動板８と蓋部１１側の回動板１３とはほぼ同形同大で、回動部１２を中心線として左右対称形となっている。この回動板１３の回動部１２と反対側は、方形状に凹んで側部係合部１４が形成されている。
【００２０】
この方形状に凹んだ側部係合部１４の内側面は、上記収納部４の外縁の方形状に繋がった、仕切り側板２以外の側板３の外側面に当接して、収納部４の側板３が蓋部１１の側部係合部１４に嵌まり込み、着脱自在に係合可能となっている。
【００２１】
（２）カードケースの係合状態
図３及び図４は閉じた状態のカードケースの断面を示す。この側部係合部１４の中央線に沿って、線状に凹んで仕切り係合凹部１５（係合部）が形成されている。この仕切り係合凹部１５の凹みの深さは、上記仕切り側板２が他の側板３より高い分、つまり上記仕切り係合凸部５の高さとほぼ一致しているか、若干大きい。
【００２２】
蓋部１１を閉じて、収納部４に蓋をすると、全側板３が側部係合部１４内にすっぽりと入って係合し、側板３の上縁及び名刺Ｎの上面Ｔが側部係合部１４の上板１９に当接し、仕切り係合凹部１５と上記仕切り係合凸部５とが係合する。これにより、上記蓋部１１は、上記２つの収納部４にまたがり、２つの収納部４の上から着脱自在に当接し、上記積層された名刺Ｎが上記２つの収納部４から脱落するのを防止する。
【００２３】
また、収納部４側の仕切り係合凹部１５と蓋部１１側の仕切り係合凸部５とが係合することによって、隣り合う２つの収納部４のうち、一方の収納部４から他方の収納部４へ名刺Ｎが移動することが禁止される。
【００２４】
上記仕切り係合凹部１５の回動板１３と反対側の上縁は直角に折れ曲がって、外方に延出され平坦な長方形状の蓋係合板１６（蓋部１１側）が]形成されている。この蓋係合板１６の両端には、下方へ四角柱状に突出する蓋係合凹部１７が形成されている。
【００２５】
したがって、上記収納部４を挟んで上記回動板８と反対側には、上記蓋係合板６及び蓋係合凸部７が設けられている。同様に、側部係合部１４を挟んで上記回動板１３と反対側には、上記蓋係合板１６及び蓋係合凹部１７が設けられている。
【００２６】
蓋部１１を閉じて、収納部４に蓋をすると、蓋係合凸部７が蓋係合凹部１７内に嵌め込まれて係合し、収納部４から蓋部１１が容易にはずれなくなる。蓋係合板１６の外縁の中央は切欠きされて半円状に凹んでおり、ツメ抜き１８が形成され、蓋係合凸部７と蓋係合凹部１７との係合が解除されて外れるようになっている。
【００２７】
蓋係合凸部７と蓋係合凹部１７との係合が外れると、側板３と側部係合部１４との係合も解除されて外れ、さらに仕切り係合凸部５と仕切り係合凹部１５との係合も解除されて外れ、収納部４から蓋部１１が外れ、収納部４内の名刺Ｎを取り出すことができる。以上のように、蓋係合凸部７と蓋係合凹部１７、側板３と側部係合部１４、仕切り係合凸部５と仕切り係合凹部１５と、収納部４と蓋部１１とが着脱自在となる。
【００２８】
上記収納部４側の蓋係合板６、回動板８、蓋部１１の蓋係合板１６、回動板１３は、上記底板１とほぼ同一平面状上にあり、同じ位置に位置している。したがって、少なくとも２つのカードケースのうち、一方を裏返して、蓋係合板６の蓋係合凸部７及び蓋係合板１６の蓋係合凹部１７付近、または収納部４の回動板８及び蓋部１１の回動板１３付近で、２つのカードケースを重ね合わせることができ、複数のカードケースを収納するとき、スペースを取らない。
【００２９】
なお、収納部４側の蓋係合板６、蓋部１１の蓋係合板１６の方が、収納部４の上面側、つまり蓋部１１の側部係合部１４の上面側に位置していてもよい。また、収納部４側の回動板８、蓋部１１の回動板１３の方が、収納部４の上面側、つまり蓋部１１の側部係合部１４の上面側に位置していてもよい。
【００３０】
図５は蓋係合凹部１７の上面の連結部２０を示す。上記蓋部１１の蓋係合凹部１７の上面は凹凸が形成され連結部２０が形成されている。この連結部２０の凹凸形状は、１／４方形状・円状または環状の凹部と凸部とからなり、当該連結部２０を表裏反転して１８０度回転した状態では、ちょうど凹凸が入れ替わり、連結部２０どうしで、一方の連結部２０の凸が他方の連結部２０の凹に入り、他方の連結部２０の凸が一方の連結部２０の凹に入る。
【００３１】
したがって、複数のカードケースにおける蓋係合凹部１７の反対側は、同じ形状であり、同じ側において、向きを変えて、さらに互いに係合可能となっている。これにより、複数のカードケースを連結でき、複数のカードケースを収納するとき、互いの向きが変わらないように固定できて、収納に便利でスペースを取らない。
【００３２】
上述のカードケースは、射出成型、プレス、その他の手法によって、全体が安価に一体成型される。この蓋部１１を閉じた状態でのカードケース全体の厚さは、９．８ｍｍである。これにより、カードケースを角２またはその他の封筒に入れても、定形郵便または定形宅配の寸法の範囲内で送付することができ、郵送料または送付料を安価にできる。
【００３３】
収納部４には例えば名刺Ｎが２５〜７５枚が収納され、合計５０枚〜１５０枚収納できる。収納部４には名刺Ｎが隙間なく限界いっぱいまで収納されるが、限界より少なく収納されて名刺Ｎと収納部４内壁との間に隙間があってもよい。このような隙間があっても、名刺Ｎが一方の収納部４から他方の収納部４へ移動してしまうことがない。
【００３４】
上記カードケースを上記連結部２０で連結して、蓋係合板１６の蓋係合凹部１７及び蓋係合板６蓋係合凸部７または回動板８及び回動板１３付近で重ねたときの幅は、２２ｃｍ乃至２３．５ｃｍとなる。これにより、重ねたードケースを幅２４ｃｍの角２の封筒に入れても、封筒の幅方向において余分な遊びができず、角２の封筒の幅方向を折り曲げることが不要となる。
【００３５】
（３）他の実施の形態
本考案は、上記実施例に限定されず、種々変更可能である。例えば、仕切り係合凸部５の一部または全部が蓋部１１の側部係合部１４内に設けられ、仕切り係合凹部１５の一部または全部が収納部４の仕切り側板２に設けられてもよい。この場合、仕切り側板２の一部または全部は、蓋部１１の側部係合部１４内の中央に設けられ、仕切り係合凹部１５の一部または全部は、２つの収納部４の底板１の境界に設けられ、収納部４の仕切り側板２の一部または全部は省略される。
【００３６】
仕切り係合凹部１５は凹状に限られるものではなく、凸状でもよいし、仕切り係合凸部５は、凸状に限られるものではなく、凹状でもよい。また、仕切り係合凸部５も仕切り係合凹部１５も「凸状」とされ、収納されている名刺Ｎの積層面Ｓの中間付近で当接または係合されてもよい。
【００３７】
この場合、この仕切り係合凸部５及び仕切り係合凹部１５の凸状の形状は、名刺Ｎの長方形状の積層面Ｓの対角線方向に沿って、単体の三角形状でもよいし、三角波状、矩形波状、のこぎり波状、サインカーブ状のジグザグ状でもよい。このような場合には、「凸状」の仕切り係合凸部５及び仕切り係合凹部１５の間には隙間があってもよい。
【００３８】
同様に、側板３の一部または全部は、蓋部１１側に設けられてもよいし、名刺Ｎの長方形状の積層面Ｓの対角線方向に沿って、単体の三角形状でもよいし、三角波状、矩形波状、のこぎり波状、サインカーブ状のジグザグ状でもよい。このような場合には、それぞれの側板３の間には隙間があってもよい。
【００３９】
収納部４の数は１×２のほか、１×１の単体、２×１、２×２、３×２、３×１、１×３、２×３、………等、いくつでもよい。本カードケースは、名刺Ｎなどのカードの郵送等のほか、名刺入れとしてそのまま使用してもよい。収納部４の間は離間され、２つの収納部４の間に、仕切り側板２、仕切り係合凸部５及び仕切り係合凹部１５が２列設けられてもよい。
【００４０】
底板１、仕切り側板２、側板３、収納部４、仕切り係合凸部５、蓋係合板６、蓋係合凸部７、回動板８、蓋部１１、回動部１２、回動板１３、側部係合部１４、仕切り係合凹部１５、蓋係合板１６、蓋係合凹部１７、上板１９、連結部２０には、穴が設けられていなかったが、大きな穴、小さな穴、単数の穴、複数の穴、円形、方形、スリット、網状などの穴などが設けられてもよい。
【００４１】
側板３、仕切り側板２、側部係合部１４は一部が省略されて、名刺Ｎの角部分だけが残されてもよい。仕切り係合凸部５及び仕切り係合凹部１５は、一部が省略されて、名刺Ｎの長辺または短辺より短くてもよいし、複数に分割・分散されてもよい。
【００４２】
底板１、側板３、係合板６、回動板８回動板１３、蓋係合板１６、上板１９などの表面は平坦であったが、凹凸があってもよい。側板３、仕切り側板２、仕切り係合凸部５、仕切り係合凹部１５の太さは任意であり、それぞれの太さの全てまたは一部が一致していてもよいし、それぞれの太さの全てまたは一部が異なっていてもよい。
【００４３】
名刺Ｎとしては、名刺以外のプリベイトカード、トランプ、カルタ、クレジットカード、キャシュカードなどでもよい。名刺Ｎの形状は方形以外に円形、楕円形、三角形、六角形等の多角形など、方形以外の形状でもよいし、１つの収納部４に収納される名刺Ｎの形状または大きさはまちまちで一致していなくてもよい。
【００４４】
蓋部１１は平坦で、側部係合部１４は省略されてもよい。この場合、蓋部１１の平坦な表面（下面）に、収納部４の仕切り側板２と係合する仕切り係合凹部１５が設けられ、さらに蓋部１１の平坦な表面（下面）に、収納部４の側板３の上縁と係合する仕切り係合凹部１５と同様の凹部が形成される。
【００４５】
蓋部１１の側部係合部１４は、名刺Ｎの周縁全体ではなく、名刺Ｎの周縁の一部のみに形成されて、残りは穴になって省略されてもよい。カードケースは不透明でもよく、蓋部１１、上板１９、収納部４の底板１等に窓が開けられてもよいし、カードケースは不透明と透明・半透明の素材から複合的に構成されていてもよい。
【００４６】
係合板６、回動板８、回動板１３及び蓋係合板１６は、底板１と同一平面の同じ位置ではなく、側板３の上縁及び上板１９と同一平面の同じ位置に設けられてもよいし、底板１と側板３の上縁または上板１９との中間位置に設けられてもよい。
【００４７】
上記回動部１２は省略され、収納部４と蓋部１１とが完全に分離できてもよい。この場合、回動板８及び回動板１３側にも、蓋係合凸部７及び蓋係合凹部１７設けられてもよい。
【００４８】
この回動部１２は、ミシン目の切断ラインのほか、厚さが線状に薄くなった折り曲げラインでもよいし、熱加工で半円筒状に湾曲されたものでもよいし、蝶番などでもよいし、収納部４と蓋部１１とが分割されて接着テープで連結されたものでもよい。
【００４９】
仕切り係合凸部５と仕切り係合凹部１５との形状は任意であり、係合できればどのような形状でもよいし、線ファスナー、接着テープ、ボタン、フック、ホック、クリップ、挟み、磁石、ホチキス、ボルト及びナット、ねじ等によってもよいし、省略されてもよい。側板３と側部係合部１４との形状は任意であり、係合できればどのような形状でもよいし、線ファスナー、接着テープ、ボタン、フック、ホック、クリップ、挟み、磁石、ホチキス、ボルト及びナット、ねじ等によってもよいし、省略されてもよい。
【００５０】
蓋係合凸部７と蓋係合凹部１７の数は任意であり、１つでも、３つ以上でもよいし、蓋係合凸部７と蓋係合凹部１７とが入れ替わってもよいし、省略されてもよい。蓋係合凸部７と蓋係合凹部１７の形状は任意であり、係合できればどのような形状でもよいし、線ファスナー、接着テープ、ボタン、フック、ホック、クリップ、挟み、磁石、ホチキス、ボルト及びナット、ねじ等によってもよい。
【００５１】
連結部２０は、裏返されて１８０度向きを変えるのではなく、１８０度向きをかえるだけで、複数のカードケースが重ねて連結されてもよい。この場合、蓋係合凹部１７の下（図１及び図２の下側、図３の上側）に、蓋係合凹部１７より小さい四角柱状の突起状の連結部２０が設けられる。
【００５２】
この四角柱状の突起状の連結部２は、別のカードケースの蓋係合凸部７の下側の凹みに嵌め込まれ、容易に外れないように連結される。この場合、蓋係合板６、１６に、ミシン目部分切断の回動部１２と同様の折り曲げラインが２列形成されて、連結部２０の重なりに無理が生じないようにされてもよい。
【００５３】
連結部２０の形状は、同じ形状でありながら、反転して１８０度向きを変えて連結部２０どうしを係合できればどのような形状でもよい。例えば、１／４円状または環状の凹部と凸部のほか、１／３、１／５、１／６、１／７、１／８、…の円状または環状の凹部と凸部でもよいし、凹部と凸部の形状は、他に円形、楕円形、平行四辺形、菱形、多角形、三角形、台形、星形、曲線形状、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、角張った形状、角張った段差のある形状、丸みを帯びた段差のある形状、丸みを帯びた凹凸のある形状などでもよい。
【００５４】
連結部２０は、連結するカードケースごとに、互いに異なる形状でもよいし、線ファスナー、接着テープ、ボタン、フック、ホック、クリップ、挟み、磁石、ホチキス、ボルト及びナット、ねじ等によってもよいし、連結部２０は省略されてもよい。
【００５５】
カードケースの寸法は、上述の寸法に限られず、厚さは９．８ｍｍ以上でも以下でもよいし、連結部２０で連結した時の幅は、２２ｃｍ乃至２３．５ｃｍ以上でも以下でもよい。
【００５６】
上記底板１、仕切り側板２、側板３、収納部４、仕切り係合凸部５、蓋係合板６、蓋係合凸部７、回動板８、蓋部１１、回動部１２、回動板１３、側部係合部１４、仕切り係合凹部１５、蓋係合板１６、蓋係合凹部１７、ツメ抜き１８、上板１９、連結部２０は、単数でも複数でも３つ以上でもよいし、これらそれぞれの一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよく、これらの材質は金属製または樹脂製のほか、木製、集成材製、合成材製、合板製、表面に化粧紙が接着されたもの、竹製、樹脂製、金属製、ガラス製、綿製、布製、糸製、繊維製、ゴム製、紙製、コンクリート製、セラミック製、カーボン製、硬質ウレタン製、これらの合成物製／混合物製／多層積層物製／複合材料でもよい。
【００５７】
上述の種々の実施の形態（実施例）において、一つの実施形態（実施例）で記載されていないことは、他の実施形態（実施例）の記載されている内容が参照及び引用される。本願明細書及び実用新案登録請求の範囲においては、これらの複数の実施形態（実施例）にわたって、各部または一部を入れ替えた実施形態（実施例）も、上記各実施形態（実施例）として記載されているものである。
【００５８】
（４）他の考案の効果
［１］同形同大のほぼ方形板状のカード体を多数枚積層させ、いずれの積層面もそろって収納される複数の収納部と、  上記収納部において、上記積層されたカード体の下面が当接する底部と、  上記収納部において、上記方形板状の四辺の位置に設けられ、上記積層面に当接または対向する側部と、  上記複数の収納部にまたがり、複数の収納部の上から着脱自在に当接し、上記積層されたカード体が上記複数の収納部から脱落するのを防止する蓋部と、  上記側部のうち、隣の収納部に近い側部の上部と係合し、この隣り合う収納部のうち、一方の収納部から他方の収納部への上記カード体の移動を禁止する、上記蓋部に設けられた係合部とを備えたことを特徴とするカードケース。  これにより、カード体が一方の収納部から他方の収納部に向かってずれたり移動したりしてしまうことがない。
【００５９】
［２］隣り合う収納部の側部は一体で兼用されて仕切り側部となっていることを特徴とする請求項１記載のカードケース。  これにより、隣り合う収納部を接近させて、カードケース自体を小さくできる。
【００６０】
［３］上記仕切り側部は、他の側部より上方へ突出している部分である仕切り係合凸部を有し、この仕切り係合凸部は、上記蓋部に設けられた仕切り係合凹部と係合することを特徴とする請求項２記載のカードケース。  これにより、側部はカード体の積層面に沿っているので、仕切り係合凸部はこの沿った方向を少し延出するだけでよく、仕切り係合凸部の構造が簡単になる。
【００６１】
［４］上記蓋部には、上記仕切り側部以外の側部と、着脱自在に係合する側部係合部が設けられていることを特徴とする請求項３記載のカードケース。  これにより、カード体がカードケースから外へ向かってずれたり移動したりしてしまうことがない。
【００６２】
［５］上記複数の収納部と上記蓋部とは互いに回動する回動部が設けられ、収納部と上記蓋部とは着脱自在になっていることを特徴とする請求項４記載のカードケース。  これにより、蓋部を収納部からはずしたとき、蓋部を紛失することがない。
【００６３】
［６］上記収納部を挟んで上記回動部と反対側には、収納部と上記蓋部とを係合する蓋係合部が収納部及び上記蓋部に設けられていることを特徴とする請求項５記載のカードケース。  これにより、蓋部を収納部から容易にはずれないようにすることができる。
【００６４】
［７］上記蓋係合部及び回動部のいずれか一方は、上記収納部の底部の面に沿って、上記収納部の底面側または上面側にほぼ位置していることを特徴とする請求項６記載のカードケース。  これにより少なくとも２つのカードケースのうち、一方を裏返して、蓋係合部または回動部付近で、２つのカードケースを重ね合わせることができ、複数のカードケースを収納するとき、スペースを取らない。
【００６５】
［８］複数のカードケースにおける蓋係合部は、同じ形状であり、同じ側において、向きを変えて、さらに互いに係合可能となっていることを特徴とする請求項７記載のカードケース。  これにより、複数のカードケースを連結でき、複数のカードケースを収納するとき、互いの向きが変わらないように固定できて、収納に便利でスペースを取らない。
【００６６】
［９］上記カードケース全体の厚さは、９．８ｍｍであることを特徴とする請求項８記載のカードケース。  これにより、カードケースを封筒に入れても、定形郵便または定形宅配の寸法の範囲内で送付することができ、郵送料または送付料を安価にできる。
【００６７】
［１０］上記カードケースを上記係合部または回動部付近で重ねたときの幅は、２２ｃｍ乃至２３．５ｃｍであることを特徴とする請求項９記載のカードケース。  これにより、重ねたードケースを幅２４ｃｍの角２の封筒に入れても、封筒の幅方向において余分な遊びができず、角２の封筒の幅方向を折り曲げることが不要となる。
【産業上の利用可能性】
【００６８】
カード体の収納部の間を遮断する係合部を設け、カード体が一方の収納部から他方の収納部に向かってずれたり移動したりしない。２つの収納部４の底板１の上には名刺Ｎが積層され、名刺Ｎの周りは側板３及び仕切り側板２によって規制される。仕切り側板２の高さは側板３より高く仕切り係合凸部５となって、蓋部１１の仕切り係合凹部１５に係合する。これにより、一方の収納部４の名刺Ｎが他方の収納部４にずれない。蓋部１１は回動部１２で回転して、２つの収納部４は蓋部１１の側部係合部１４内に入り込み、さらに収納部４の蓋係合凸部７が蓋部１１の蓋係合凹部１７に係合して、蓋部１１は収納部４に固定される。２つのカードケースは、互いに表裏反対向き（上下反対向き）及び１８０度反対向きにされて、同じ形状の連結部２０どうしで互いに連結される。
【図面の簡単な説明】
【００６９】
【図１】開いた状態のカードケースの全体外観を示す。
【図２】開いた状態のカードケースの側面を示す。
【図３】閉じた状態のカードケースの断面を示す。
【図４】閉じた状態のカードケースの断面を示す。
【図５】蓋部１１の蓋係合凹部１７の上面の連結部２０を示す。
【符号の説明】
【００７０】
１…底板（底部）、
２…仕切り側板（仕切り側部、側部）、
３…側板（側部）、４…収納部、
５…仕切り係合凸部（係合部、収納部４側）、
６…蓋係合板（収納部４側）、
７…蓋係合凸部（蓋係合部）、
８…回動板（収納部４側）、
１１…蓋部、１２…回動部、
１３…回動板（蓋部１１側）、１４…側部係合部、
１５…仕切り係合凹部（係合部、蓋部１１側）、
１６…蓋係合板（蓋部１１側）、
１７…蓋係合凹部、１８…ツメ抜き、
１９…上板（上面）、２０…連結部、
Ｎ…名刺、Ｓ…積層面
Ｂ…下面（名刺）、Ｔ…上面（名刺）。
【図１】
0003181885.tif 000003
【図２】
0003181885.tif 000004
【図３】
0003181885.tif 000005
【図４】
0003181885.tif 000006
【図５】
0003181885.tif 000007